(57)【要約】【課題】画像に応じて音楽のアレンジを変えることで、音楽付きスライドショーをより魅力的なものにする。【解決手段】ユーザは、各画像に対して自身の評価を設定することができる。画像３は評価が設定されていない画像を示し、この画像が表示されているときに再生される楽器は、ドラム，ベース，ギター，ピアノの４種類である。評価が３（星３つ）の画像４に切換わるのに伴い、ストリングスとブラスセクションを追加して曲を賑やかにする。また、音声データ付きの画像を表示するときは、楽器数を少なくして音声を目立たせる。【選択図】図３
2009200685.tif 000002
【特許請求の範囲】
【請求項１】
音楽を再生しながら複数の画像を連続再生する画像再生装置において、
前記画像に対応づけられた情報に基づいて、前記再生する音楽のアレンジを個々の画像ごとに設定する編曲手段と、
前記連続再生時に前記音楽を再生するとともに、個々の画像の再生に同期して、それぞれの画像に対して設定されている前記アレンジを前記音楽に反映させる音楽再生手段とを具備することを特徴とする画像再生装置。
【請求項２】
前記音楽を再生するための音楽データは、種類の異なる複数の楽器に関する楽器データを含み、前記編曲手段は、前記画像に対応づけられた情報に基づいて使用する楽器データを選択することで、前記アレンジを行うことを特徴とする請求項１に記載の画像再生装置。
【請求項３】
前記画像に対応づけられた情報は、ユーザによる画像評価情報であり、前記編曲手段は、評価が高い画像ほど同時再生する楽器データを増やすことを特徴とする請求項２に記載の画像再生装置。
【請求項４】
前記画像に対応づけられた情報は、撮影時に録音された音声データの有無に関する情報であり、前編曲手段は、音声データ付きの画像に対しては、音声データなしの画像よりも同時再生する楽器データを減らすことを特徴とする請求項２に記載の画像再生装置。
【請求項５】
音楽を再生しながら複数の画像を連続再生する画像再生装置において、
前記連続再生に使用する画像数を認識する認識手段と、
前記音楽を構成する１または数小節ごとのパートの数を、前記認識された画像数に応じた数に設定することで、前記連続再生時に再生される音楽の長さを画像数に応じて調整する調整手段とを具備することを特徴とする画像再生装置。
【請求項６】
前記調整手段は、音楽の開始部分および終了部分は、それぞれイントロのパートおよびエンディングのパートで固定とし、それらの間のパートの数を変えることで前記音楽の長さを調整することを特徴とする請求項５に記載の画像再生装置。
【請求項７】
複数の画像を連続再生する再生機能と、
前記画像に対応づけられた情報に基づいて、前記連続再生時に再生する音楽のアレンジを個々の画像ごとに設定する編曲機能と、
前記連続再生時に前記音楽を再生するとともに、個々の画像の再生に同期して、それぞれの画像に対して設定されている前記アレンジを前記音楽に反映させる音楽再生機能とをコンピュータに実行させるための画像再生プログラム。
【請求項８】
前記音楽を再生するための音楽データは、種類の異なる複数の楽器に関する楽器データを含み、前記画像に対応づけられた情報に基づいて使用する楽器データを選択することで、前記アレンジを行うことを特徴とする請求項７に記載の画像再生プログラム。
【請求項９】
前記画像に対応づけられた情報は、ユーザによる画像評価情報であり、評価が高い画像ほど同時再生する楽器データを増やすことを特徴とする請求項８に記載の画像再生プログラム。
【請求項１０】
前記画像に対応づけられた情報は、撮影時に録音された音声データの有無に関する情報であり、音声データ付きの画像に対しては、音声データなしの画像よりも同時再生する楽器データを減らすことを特徴とする請求項８に記載の画像再生プログラム。
【請求項１１】
複数の画像を連続再生する再生機能と、
前記連続再生に使用する画像数を認識する認識機能と、
前記連続再生時に再生する音楽を構成する１または数小節ごとのパートの数を、前記認識された画像数に応じた数に設定することで、前記音楽の長さを画像数に応じて調整する調整機能とをコンピュータに実行させるための画像再生プログラム。
【請求項１２】
前記音楽の開始部分および終了部分は、それぞれイントロのパートおよびエンディングのパートで固定とし、それらの間のパートの数を変えることで前記音楽の長さを調整することを特徴とする請求項１１に記載の画像再生プログラム。
【発明の詳細な説明】
【技術分野】
【０００１】
本発明は、音楽を再生しながら複数の画像を連続再生する機能を有する画像再生装置およびプログラムに関する。
【背景技術】
【０００２】
複数の画像を所定時間ごとに順次入れ替えて連続表示する、いわゆるスライドショーと呼ばれる機能を持ったデジタルカメラやコンピュータソフトウェアがある。例えば特許文献１に記載された装置では、スライドショーにおいて、お気に入りの画像や特定のタイトルが付された画像は、他の画像と比べて表示時間を長くするなどの配慮がなされている。
【０００３】
また、特許文献２に記載されているように、撮影時に録音した音声を再生したり、ＢＧＭとしての音楽を流しながらスライドショーを行う装置もある。この装置では、録音音声を再生しながら画像を表示する際には、音楽の音量を小さくして音声を際だたせるようにしている。
【０００４】
【特許文献１】特開２００６−１５７３２４号公報
【特許文献２】特開平１１−１６８６９２号公報
【発明の開示】
【発明が解決しようとする課題】
【０００５】
音楽付きスライドショーの場合、ただ漫然と音楽を流すだけでは退屈で盛り上がりに欠ける。また録音された音声を再生するときに音楽の音量を下げると、折角の音楽が聞きづらくなって魅力が半減する。
【課題を解決するための手段】
【０００６】
本発明に係る画像再生装置は、音楽を再生しながら複数の画像を連続再生する画像再生装置であって、画像に対応づけられた情報に基づいて、再生する音楽のアレンジを個々の画像ごとに設定する編曲手段と、連続再生時に音楽を再生するとともに、個々の画像の再生に同期して、それぞれの画像に対して設定されているアレンジを音楽に反映させる音楽再生手段とを具備することを特徴とする。
音楽を再生するための音楽データは、種類の異なる複数の楽器に関する楽器データを含み、画像に対応づけられた情報に基づいて使用する楽器データを選択することでアレンジを行うようにしてもよい。
画像に対応づけられた情報は、ユーザによる画像評価情報であり、評価が高い画像ほど同時再生する楽器データを増やすようにしてもよい。
画像に対応づけられた情報は、撮影時に録音された音声データの有無に関する情報であり、音声データ付きの画像に対しては、音声データなしの画像よりも同時再生する楽器データを減らすようにしてもよい。
他の発明に係る画像再生装置は、連続再生に使用する画像数を認識する認識手段と、音楽を構成する１または数小節ごとのパートの数を、認識された画像数に応じた数に設定することで、連続再生時に再生される音楽の長さを画像数に応じて調整する調整手段とを具備することを特徴とする。
音楽の開始部分および終了部分は、それぞれイントロのパートおよびエンディングのパートで固定とし、それらの間のパートの数を変えることで音楽の長さを調整するようにしてもよい。
上述の画像再生装置の各機能は、コンピュータプログラムとして提供できる。
【発明の効果】
【０００７】
本発明によれば、音楽付きスライドショーをより魅力的なものにすることができる。
【発明を実施するための最良の形態】
【０００８】
図１〜図９により本発明をデジタルカメラに適用した場合の一実施形態を説明する。
図１は本実施形態におけるデジタルカメラの制御ブロック図である。撮影モード設定時、撮影レンズ１を透過した被写体光束は、撮像素子２で撮像され、その撮像信号は画像処理部３に入力される。画像処理部３を構成する画像処理回路３ａは、入力された撮像信号に種々の処理を施して画像データを生成し、画像データは、記録／再生回路３ｂを介して画像ファイルとして記録媒体（例えば、メモリカード）４に記録される。また、撮影時には音声の録音が可能であり、マイク６および音声入力回路７を介して入力された音声データは、画像ファイルに対応づけられて記録媒体４に記録される。
【０００９】
再生モードでは、記録媒体４に記録された画像ファイルを記録／再生回路３ｂにて読み出し、画像処理回路３ａおよび表示回路３ｃによる処理を経て液晶モニタ５に表示することができる。その際、音声データが対応づけられた画像ファイルであれば、音声出力回路８およびスピーカ９を介してその音声を画像と同時に出力することができる。また、後述するような音楽付きスライドショーも可能とされる。
【００１０】
ユーザは、記録媒体４に記録された個々の画像ファイルに対し、自身の評価（例えば、「お気に入り度」と呼ばれる）を設定することができ、設定された評価は、対応する画像ファイルのヘッダ情報として記述される。カメラは、再生モード時やスライドショー設定時に、画像ファイルから評価情報を読み出し、サムネイル画像に重ねてその評価を表示する。例えば図９に示すように、評価は星の数（数が多いほど高評価）で表示され、評価が設定されていない画像には星は表示されない。なお図９において、音符のマークが表示されている画像は、上述した音声データが対応づけられた画像を表す。
【００１１】
図１において、ＣＰＵ１０は、操作部１１からの入力に応答して各回路を制御し、撮影や録音、画像／音声再生、画像評価設定、スライドショー作成、スライドショー実行などの各種処理を実行する。なお操作部１１は、電源ボタンやレリーズボタン、再生操作や情報入力等で用いる各種操作部材を含む。
【００１２】
次に、音楽付きスライドショーについて説明する。
音楽付きスライドショーは、ＢＧＭとしての音楽を再生しながら複数の画像を順次入れ替えて連続再生する機能である。ユーザは、まずスライドショーに使用する画像および音楽を選択する。音楽は、予めジャンルの異なる幾つかの曲が、所定の圧縮形式（例えば、ＭＰ３形式）でメモリ１２に記憶されており、ユーザはその中からいずれかの曲目を選択する。
【００１３】
スライドショーに用いる画像と音楽が決まると、ＣＰＵ１０は画像枚数を認識し、それに基づいて音楽の長さを調整する。音楽を再生するための音楽データは、イントロ、Ａメロ、Ｂメロ、サビ、エンディングといった数小節ごとの複数のパートから成り、そのパートの組み合わせを変更することで音楽の長さを調整できる。
【００１４】
図２はある曲目の各パートの組み合わせの例を示している。
図２（ａ）は基本パターンであり、イントロに続いてＡメロを２回繰り返し、次いでＢメロを２回、サビを２回繰り返した後でエンディングを流して終了となる。スライドショーで使用する画像数が、例えば１５枚〜２５枚程度のときはこの基本パターンが選択される。図２（ｂ）は画像数が少ないとき（例えば、１５枚未満のとき）のパターンで、イントロとエンディングの間にＡメロ、Ｂメロ、サビがそれぞれ１回ずつ挿入される。図２（ｃ）は画像数が多いとき（例えば、２５枚を超えるとき）のパターンで、イントロとエンディングの間に、Ａメロ、Ｂメロ、サビがそれぞれ２回ずつ続き、更にそれらが１回ずつ続く。
【００１５】
各パターンにおいて、画像数の相違は１画像の表示時間を変えることで対応させ、画像と音楽の再生開始／終了を一致させる。例えば、図２（ａ）の基本パターンを用いる場合、画像枚数が１５枚のときは、２５枚のときよりも１画像の表示時間を長くする。図２のいずれのパターンもイントロのパートで始まり、エンディングのパートで終わる点は共通しているので、いかなるケースでもイントロの開始に伴って最初の画像が表示され、最後の画像がエンディングとともに表示されることになり、違和感のない音楽付きスライドショーが楽しめる。
【００１６】
因みに、従来は画像数と音楽の長さを対応させるために、音楽の導入部分や終了部分をカットする方法がとられていた（例えば、特開２００１−３３９６８２号公報）。この場合、音楽が途中から始まったり途中で終わったりするため、観賞者にとって違和感が残る。
【００１７】
なお、図２のパターンは一例を示したに過ぎず、もともとの曲の構成により、パートの分割の仕方や組み合わせ方は異なる。
【００１８】
次に、音楽のアレンジ変更機能について説明する。
上述した各音楽パートは、ドラム、ベース、ギター・・・というように楽器別にデータが保存されており、同時再生する楽器データを増減することで、曲を賑やかにしたり、静かな雰囲気にすることができる。
【００１９】
図３は、上述した画像評価によって楽器データを増減する例を示している。画像３は評価が設定されていない画像を示し、この画像が表示されているときに再生される楽器は、ドラム，ベース，ギター，ピアノの４種類である。評価が３（星３つ）の画像４に切換わるのに伴い、ストリングスとブラスセクションを追加して曲を賑やかにする。加えてこの例では、画像４に切換わる（曲が賑やかになる）直前にドラムを通常のフレーズからfill inに変化させることで、雰囲気を盛り上げてゆく。画像４の次に表示される画像が評価２の画像であれば、その画像に切換わるとともに例えばブラスセクションを停止し、評価無しの画像であれば、例えばストリングスとブラスセクションを停止する。
【００２０】
記憶されている楽器データは曲によって異なるため、画像評価によって増減される楽器データも曲によって変わるが、基本的には、評価が高い画像ほど楽器数を増やす（より賑やかにする）ことで、スライドショーをより盛り上げることができる。特にブラスセクションは曲を派手にし、ストリングスは壮大な雰囲気を出すのに効果的であるため、これらの有無によって曲の雰囲気を大きく変えることができる。このようなアレンジによって曲の強弱を変える方法は、単に音量を増減する方法と比べて遙かに魅力的な音響効果を期待できる。
【００２１】
以上は画像の評価に応じてアレンジを変えたが、図４は音声データの有無によってアレンジを変える例を示している。音声データ無しの画像１を表示するときは、ドラム、パーカッション、ベース、ギター、ピアノを同時に再生する。音声データ付きの画像２に表示が切換わるのに伴い、パーカッション、ギター、ピアノを停止し、音声データを再生する。いくつかの楽器を停止することで音楽が静かになり、音声データが聞き取り易くなる。ただし、ドラムおよびベースは音量を落とすことなく再生され続けるので、音楽が聞き取り難いといった印象はない。
【００２２】
図５，図６は上記の音楽付きスライドショーをソフト的に実現するための処理手順例を示している。
図５はスライドショー作成時の手順を示し、例えばメニュー画面から「スライドショー作成」を選択することで実行される。ステップＳ１では、音楽の選択を行う。すなわち、選択可能な音楽（曲目）を液晶モニタ５に一覧表示し、その中からユーザが選択した音楽をスライドショーに使用する音楽とする。
【００２３】
ステップＳ２では、記録媒体４内の全画像をスライドショーに用いるか否かをユーザに問う（図７参照）。「はい」が選択されると、全画像をスライドショーに使用するものと認識してステップＳ４に進み、「いいえ」が選択されると、ステップＳ３で画像手動選択処理を行う。これは、図８に示すように全画像のサムネイルを画面に表示し、その中からユーザに選択させることで行う。選択された画像にはチェックマークを表示し、選択終了が指示されると、チェックが入っている画像をスライドショーに使用するものとしてステップＳ４に進む。なお、図８は複数ページあるサムネイル画面の一ページを示している。
【００２４】
ステップＳ４では、スライドショーに使用する画像に対し、評価の変更（追加、削除も含む）を行うか否かをユーザに問う。「いいえ」が選択されるとステップＳ６に進み、「はい」が選択されるとステップＳ５で画像評価変更処理を行う。これは、図９に示すようにスライドショーに使用する画像のサムネイルを一覧表示し、評価変更する画像を選ばせた後、評価内容を入力させることで行う。その後、ステップＳ６に進む。
【００２５】
ステップＳ６では、スライドショーで使用する画像枚数（上記画像選択によって確定する）に応じて音楽パターンを決定する。これは、例えば図２に示したような複数のパターンを曲ごとに予め記憶しておき、画像枚数に応じていずれかのパターンを選択することで行う。あるいは、画像枚数に応じてこの場でパターンを作成するようにしてもよい。また、ユーザがパートの順番を適宜変更できるようにしてもよく、この場合は、設定されたパターンで音楽を試聴できるようにすると便利である。
【００２６】
ステップＳ７では、画像枚数と決定された音楽パターンとに基づいて１画像の表示時間を設定する。これは、上述したように音楽と画像表示の開始／終了を一致させるための処理である。ステップＳ８では、図３，図４で説明したように、画像評価および音声データの有無によって音楽のアレンジを画像ごとに設定する。
【００２７】
上記決定された音楽パターン情報、表示時間情報、画像ごとのアレンジ情報は、当該スライドショーの構成ファイルとしてメモリ１２に記憶され、これにてスライドショーの準備が完了する。なお、オプションとして、画像表示の順番をユーザが設定できるようにしたり、画像表示や音楽再生に対してフェードイン／アウト効果等を設定できるようにしてもよい。また、評価の高い画像ほど表示時間を長くできるようにしたり、画像の切換えを音楽に合わせる（例えば、画像の切換えを音楽の小節の切換えと同期させる）機能を選べるようにしてもよい。
【００２８】
図６はスライドショー実行時の処理手順例を示している。
ユーザがスライドショーを選択して開始操作を行うと、このプログラムが実行される。ステップＳ２１ではカウンタｎを「１」に設定し、ステップＳ２２で音楽再生をスタートする。ステップＳ２３ではｎ枚目に対して設定された音楽アレンジ情報を読み込み、ステップＳ２４でそのアレンジを音楽に反映させるとともに、ステップＳ５でｎ枚目の画像を表示する。
【００２９】
ステップＳ２６で１枚の表示時間（記憶値）が経過するまで待ち、経過するとステップＳ２７で全ての画像が表示されたか否かを判定する。肯定されるとステップＳ２９で音楽再生を終了して処理を終了させ、否定されるとステップＳ２８でｎをカウントアップしてステップＳ２３に戻り、スライドショーを続行する。
【００３０】
以上はデジタルカメラにて説明したが、画像と音楽が再生可能な他の画像再生装置にも本発明を適用できる。上記の機能がコンピュータプログラムとして提供されれば、これをパーソナルコンピュータ等にインストールして使用することができる。したがって、スライドショーに供する画像は、ユーザ自身が撮影した画像に限定されない。
【００３１】
また以上では、ユーザによる画像評価に基づいて音楽のアレンジを行う例を示したが、画像再生装置（プログラム）による画像評価によってアレンジを行ってもよい。例えば、プログラムが各画像の再生回数を計数し、トータル再生回数、あるいは所定期間における再生回数が多いほど高評価になるように各画像を評価する。これは、再生回数が多いほどユーザのお気に入り度が高いであろうという考え方による。したがって、この場合も評価が高い画像ほど楽器の数を増やすことが望ましい。
【００３２】
さらに、シーンモードに応じて音楽のアレンジを設定してもよい。シーンモードは、ポートレートモード、風景モード、スポーツモード、夜景モードなど複数のモードが用意され、撮影者がいずれかのモードを選択すると、選択されたモードに適した露出値などが設定され、撮影が行われる。そして、いずれのモードが選択されたかが付加情報として画像ファイルに記述される。カメラは、スライドショーに使用する各画像ファイルから撮影時のシーンモードを読み出し、例えば風景モードであれば雄壮な雰囲気が出るように、またポートレートモードであれば柔らかな雰囲気となるように楽器を選択する。予め複数のシーンモードと使用楽器とを対応づけたテーブルを用意しておき、これを利用して楽器を選択することが考えられる。
【００３３】
また、ユーザが好みの曲を外部から導入し、これをスライドショー時の音楽として使用できるようにしてもよい。この場合は、導入した音楽を複数のパートに分割したり、組み合わせたり、また各パートを楽器ごとのデータに分割する機能をカメラに持たせる必要がある。あるいは、カメラメーカーなどが、予めスライドショー用に加工した幾つかの音楽データ（当初はカメラに組み込まれていない音楽データ）をＷｅｂサーバに用意しておき、これらをユーザがダウンロードして使用できるようにしてもよい。
【図面の簡単な説明】
【００３４】
【図１】本発明の一実施形態におけるデジタルカメラの制御ブロック図。
【図２】音楽の長さの調整方法を説明する図。
【図３】画像に応じて音楽のアレンジを変更する一例を示す図。
【図４】画像に応じて音楽のアレンジを変更する他の例を示す図。
【図５】音楽付きスライドショーの作成手順の一例を示すフローチャート。
【図６】音楽付きスライドショーの実行手順の一例を示すフローチャート。
【図７】スライドショー作成時に全画像を使用するか否かを問う画面例を示す図。
【図８】スライドショー作成時の画像選択画面を示す図。
【図９】スライドショー作成時の画像評価変更画面を示す図。
【符号の説明】
【００３５】
２  撮像素子
３  画像処理回路
６  マイク
７  音声入力回路
８  音声出力回路
９  スピーカ
１０  ＣＰＵ
【図１】
2009200685.tif 000003
【図２】
2009200685.tif 000004
【図３】
2009200685.tif 000005
【図４】
2009200685.tif 000006
【図５】
2009200685.tif 000007
【図６】
2009200685.tif 000008
【図７】
2009200685.tif 000009
【図８】
2009200685.tif 000010
【図９】
2009200685.tif 000011